【手続補正書】
【提出日】平成21年3月1日(2009.3.1)
【手続補正１】
【補正対象書類名】特許請求の範囲
【補正対象項目名】全文
【補正方法】変更
【補正の内容】
【特許請求の範囲】
【請求項１】
額縁やパネルなどに側面式のピンソケットを作成すること。
主な説明図や構造は、図１８から図２７までである。
【請求項２】
額縁やパネルなどに背面式のピンソケットを作成すること。これには、Ｌ字型のピンソケットが含まれる。主な説明図や構造は、図２８から図３５までである。
【請求項３】
専用アクセサリーを組み込んで使用することを前提とした基本アクセサリーラックを作成すること。これには、正面入れ替え方式の額縁のうち、ラック型の額縁とこれに組み込まれて使用されることを前提にした拡幅基板に見合う専用アクセサリーを作成することが含まれる。主な説明図は、図３６から図４６までと図６２から図６５までである。
【請求項４】
縦と横の専用アクセサリーの組み込み使用を前提にした全部アクセサリーラック付きの額縁を作成すること。これには、中板ＢＯの代わり中板ＢＯＥを使用した場合を含む。また、縦と横の専用アクセサリーの基板における組み足し加工を含む。主な説明図は、図４９から図６１までと図６６である。
【請求項５】
拡張型の額縁または全部アクセサリーラック付き額縁において、専用アクセサリーの内枠化を行うこと。なお、拡張型の額縁は、縁枠型の額縁を含む。主な説明図は、図５０と図６６から図７２までである。
【請求項６】
正面入れ替え方式の額縁のうち、縦と横の専用アクセサリーの組み込み使用を前提にした拡張型および縁枠型の額縁を作成すること。主な説明図は、図６６と図７３から図７７である。
【請求項７】
正面入れ替え方式のうち、拡張型および縁枠型の額縁を壁面等に埋め込むために、これに使用する縦と横の専用アクセサリーを組み込むことを前提にして、壁面等においてラックスペースとラックハンドを作ること。主な説明図は、図８３から図８６までと、図７３から図７７などである。
【請求項８】
正面入れ替え方式のうち、ラック型および表蓋型の額縁を壁面等に埋め込むために、これに使用する拡幅基板に見合う専用アクセサリーを組み込むことを前提にして、壁面等においてラックスペースとラックハンドを作ること。主な説明図は、図８３から図８６までと、図６２から図６５などである。
【請求項９】
調整ユニットを作成すること。主な説明図は、図８７から図９３などである。
【手続補正２】
【補正対象書類名】明細書
【補正対象項目名】００１５
【補正方法】変更
【補正の内容】
【００１５】切り抜き及び切り取りの加工は、図２におけるＬとＨで表される平面のうち一定の部分を切り抜くがその際の切り込みは、その平面に対して常に直角に行なう。また重ねて貼り合わせる際は、各板を厚さＤの方向で重ねて、かつ、お互いに外側にはみ出さないように側面を整えるが、その順序はできあがりの額縁において常に、下から底板、中板、縁板の順となるように、重ねて貼り合わせる。したがって、この３枚に付けた呼称は、単なる名称ではなく、貼り合わせによって形成される各板の層の順序を意味するものである。しかし、貼り合わせの作業の順序を制約するものではない。また、貼り合わせの作業においては、図３に示すように平面の直角を垂直方向にかたどったものを使用し、これを直角台と呼ぶことにする。以下の説明においては、各元板を用意し、各板の切り抜き加工の仕方を中心に説明するが、「平面図」は図２で表される板を厚さＤの方向で上方向からで投影したもの」であり、「平面図上」とは、「各板や組み込まれた部品をそのまま直角台に重ね合わせて、その上方向からひとつの平面に投影してみた場合」の意味で使用している。この方法を説明上、単に「貼り合わせ」と呼ぶことにする。
【手続補正３】
【補正対象書類名】明細書
【補正対象項目名】００２７
【補正方法】変更
【補正の内容】
【００２７】図１４は、このようにしてできあがった横入れ方式の額縁の平面図であり、この図におけるＹ１−Ｙ１部分の断面図が図１５であり、Ｘ１−Ｘ１部分の断面図が図１６であり、Ｘ２−Ｘ２部分の断面図が図１７である。図１４の平面図においては、最も下の第１層を構成する底板、第２層を構成する中板と用紙収納スペースおよび移動スペース、第３層を構成する縁板と画面窓の位置関係が明示されており、図１５、図１６、図１７の断面図においては、用紙収納スペースと移動スペースを取り囲む各層の部分が把握され、本体右側面に設けられた用紙差し込み口から規格用紙をスライド挿入する時、用紙を誘導する用紙移動スペースが形成され、かつ、用紙の４辺の端々を押さえるための押さえ縁が形成されている事が明示される。この構造は、底板、中板、縁板の３枚を、図１４の平面図における位置関係を保って貼り合わせることにより形成される。このようにして作られた額縁を「貼り合わせの横入れ方式の額縁」と呼ぶことにする。なお、各板の平面図における位置関係を、裏蓋方式においては図８、横入れ方式においては図１４のように保つことができれば、平面図における元板の形を円形、多角形その他の形にして外見の異なる額縁を作ることができる。なお、図においては中板の厚さはｆで示されている。
【手続補正４】
【補正対象書類名】明細書
【補正対象項目名】００３９
【補正方法】変更
【補正の内容】
【００３９】図３０における点ｍは、正方形Ｔ１−１の辺ａｂの中点であり、側面式の作成と同様に、線分ｍｎで表わされる細長い長方形Ｔ２−１は辺ａｂに対して直角であり、これに刃の厚さが、図２０におけるピン足の太さｅの鋸で切り込みを入れるが、これによってできあがりのソケットにおいてピン足の部分がスライドできる空間ができる。その長さは、側面式の場合と同様にピン平頭部の半径ｒに一定の値ｋを加えたものとして把握できる。中板、底板にこのような加工を施した後、直角台を使用し、額縁をつくるものとして各板を重ねて貼り合わせることにより、背面式のピンソケット付きの額縁ができる。
【手続補正５】
【補正対象書類名】明細書
【補正対象項目名】００４０
【補正方法】変更
【補正の内容】
【００４０】  背面式ピンソケットの構造は、図３１、図３２、図３３、図３４、図３５において示されるが、図３１は、できあがりの額縁において、その部分を平面図として示したものであるが、この図においてＹ１−Ｙ１部分の断面を立面から見たものが図３２であり、Ｘ１−Ｘ１部分の断面を側面から見たものが図３３であり、Ｘ２−Ｘ２部分の断面を側面から見たものが図３４であり、Ｘ３−Ｘ３部分の断面を側面から見たものが図３５である。背面式のソケットは、側面式のソケットに一定の部分を連結させたものであり、中板の層においては図２９においてはＴ１で示され、底板の層においては、図３０においてＴ１−１で示される。平面図上この二つの部分は、位置、寸法とも一致するもので、ピンが組み入れられ、スライドを開始できる位置である。ピンの組み込み状況については、裏面から組み入れること以外は、側面式のソケットと同じである。背面式ソケットも、横掛け用として２個以上、縦掛け用として２個以上作成する。
【手続補正６】
【補正対象書類名】明細書
【補正対象項目名】００５５
【補正方法】変更
【補正の内容】
【００５５】中板をこのように加工するのは、各板の貼り合わせによりできたラックの左端に専用アクセサリーの基板を差し込む際に必要な空間を２ｇにわたって作り、その基板を右にスライドさせるに伴い、専用アクセサリーの基板部分が、ラックの右端に突き当たるまで、ｇの距離だけスライドできるようにするためである。なお、スライド幅ｇの値は、アクセサリー本体の横の長さの１００分の１程度を目安に、これを作る材質や硬度を考えて、適切に決める必要がある。縁板と中板をこのように切り抜き加工した後、直角台を使って、３枚の板の側面を合わせ、額縁を作るものとして貼り合わせると図３６のアクセサリーラック付きの額縁ができる。
なお、基本アクセサリーラックの長さが前述のように一定である場合、図３８のＡＣ本体の左端の爪部分の長さが２ｇ以上、右端の爪部分がｇ以上あるときは、基板のどちらか一方が凹状の溝に突き当たってとまるので、ＡＣは、問題なく組み込むことができるが、図における左右の対象性が保たれない。また、ラック左端の凹状の部分が２ｇより長い場合は、ＡＣが図３８の外形を保っている限り、ＡＣの左端がストッパーとなり、必要以上の差し込みを防ぐことになるが、ラック右端の凹状の部分がｇより長い場合は、ＡＣが図３８の外形を保っていてもＡＣの右端がストッパーとならないので必要以上のスライドが発生し、組み込みが弱くなり、特にラック右端のこの部分が２ｇ以上の場合は組み込みが保障されない。このときは、ＡＣ本体の右端の爪部分の長さをｇとすることにより、ＡＣ本体の右端部分をスライドのストッパーとすることができる。したがって、ラック右端の凹状の部分の長さがｇである場合、基板自体の右端がストッパーとして機能し、ＡＣ本体の右端の爪部分の長さは、ｇ以上であればＡＣは、左右の対称性はなくなるが組み込みは可能である。
【手続補正７】
【補正対象書類名】明細書
【補正対象項目名】００７４
【補正方法】変更
【補正の内容】
【００７４】この額縁においては、使用する用紙は「規格外の用紙」を準備する必要があるが、その厚さと枚数は極度に制限されている。この制限をなくするには、明確な収納スペースが必要である。このため、中板を追加することになるが、使用する中板は、図５５の中板ＢＯの作成過程において斜線部分ＢＳＬとＢＳＲを切り取る前の中板であり、平面図上、図４９のＦＯで示される縁板と同じ中板である。この中板を「単純外枠の中板」と呼ぶことにする。この単純外枠の中板を中板ＢＯと底板の間に追加することにより、最大規格（後述の段落８０参照）の収納スペースができるので、構造を変えないで、この収納スペースの厚さのみを増やすことができる。また、拡幅基板には、全部ラック付きの裏蓋方式の額縁と同じ画面窓を設けることができるので、これをラックに組み込むと、基板が一般の額縁におけるマットのような作用をすることになり、収納した規格外の用紙を押さえることになる。また、平面図上、最大基板の組み込みが完了する位置が規格外収納スペースの位置であると考えられる。この額縁を正面入れ替え方式の中で、「ラック型」の額縁と呼ぶことにする。
【手続補正８】
【補正対象書類名】明細書
【補正対象項目名】００７５
【補正方法】変更
【補正の内容】
【００７５】ラック型の構造を表わす次の各図においては、中板ＢＯと底板の間に１枚の単純外枠の中板を加使用した場合の図であり、平面図は、図６２で表されており、その構造は、立面からの断面図Ｙ２−Ｙ２は図６３で表わされ、図７４と同じである。側面からの断面図Ｘ１−Ｘ１と断面図Ｘ３−Ｘ３は同じで図６４で表わされている。同じく断面図Ｘ２−Ｘ２は、図６５で表わされ図７７と同じに表わされる。点線で示される細長い長方形は最大規格の収納スペースを表わす。このような中板ＢＯと単純外枠の中板との位置関係をもつ額縁の構造を「表蓋型」と呼ぶことにする。表蓋型においては、図６３のように規格外収納スペースと最大規格の収納スペースが重なっているため、この額縁に最大基板またはこれに見合う専用アクセサリーを組み込んだ場合は、規格外の収納スペースは、これによって占められることになる。
【手続補正９】
【補正対象書類名】明細書
【補正対象項目名】００７８
【補正方法】変更
【補正の内容】
【００７８】内枠を除外した全部ラック付きの額縁を作成するには、図５０におけるＢＳ３とＢＳ４を切り取らない中板が必要である。図６６はこの中板の平面図であり、切り抜く部分はＶＮで示される長方形の部分とＲＨでしめされる４つの斜線部分である。長方形ＶＮは、図５５のＶ２の外側の輪郭に一致しており、Ｖ２、ＢＩおよび収納スペースからなっているが、内枠は除外するのでこれらを一括して切り抜くことができる。ＲＨで示す小さな長方形の切り取りによって、できあがりの重ね貼り合わせの額縁において横の専用アクセサリーを組み込むための基本アクセサリーラックができる。このラックの両端には、アクセサリーを差し込み、スライドさせるための横に凹状の空間ができるが、これにより、専用アクセサリーを差し込み、スライドさせることができる。左側の長さが、２ｇであり、右側の長さがｇである。説明上、この横に凹状の空間を「ラックハンド」（この呼称は、これまでのアクセサリーラックに関する一連の説明において「横に凹状の部分」として表現された構造の部分であり、平面図の図４４と図６２においては２ｇとｇで示され、断面図の図４５と図６３における両端の部分の構造を指し示す。）と呼ぶことにする。図のＲＨ−ＬＵは正面から見て左上に位置し、同じくＲＵは右上、ＬＤは左下、ＲＤは右下に位置する。
【手続補正１０】
【補正対象書類名】明細書
【補正対象項目名】００７９
【補正方法】変更
【補正の内容】
【００７９】このようにしてできる中板を「中板ＢＯＥ」と呼ぶことにする。この中板を単独使用して外側の縁板と底板を重ね貼り合わせると、内枠が除外された全部ラック付きの裏蓋方式の額縁ができる。なお、専用アクセサリーの基板の作成において、簡単化を行い、その戻しを行う場合は、図に示すようにラックハンドの縦幅が上は２ｇ、下はｇだけ短くなる。また、ラックハンドにアクセサリーの組み込みが完了したとき、その基板の最も両端の部分でラックハンドに組み込まれている部分を「Ｂハンド」と呼ぶことにする。この部分は、図３７、図３８、および図６９、図７０において、その長さがｇにわたって示されている。
【手続補正１１】
【補正対象書類名】明細書
【補正対象項目名】００８２
【補正方法】変更
【補正の内容】
【００８２】  次にＡＣ１の基板を作成する際にＡＣ１の組み足しの加工を１段加工にする。したがってＡＢ１とＡＢ２は、図において上下対象となる。その際、二つの基板に図５３、５４で示される簡単化を行う。中板に対して簡単化の戻しをすると組み込みが強くなり、戻しをしないと弱くなるが、ここでは、この戻しを行うものとする。このようにすると、ＡＣ１の差し込みにおける基板の縦幅をＡＢ２に等しくすることができる。この専用アクセサリーＡＣ１の側面を表わしたのが図６８であり、平面図として表わしたのが図６９である。ここでは、簡単化を行うので、図５３および図５４に示されるｐの部分を切り取る。また、ＡＣ３とＡＣ４の本体は、拡張型のものより２ｇの分だけ長いものを作成し、図５０における基板の両端にｇを残して貼り付け、ＡＣ３とＡＣ４は図において互いに左右上下ともに対称となる。図７０はＡＣ３の平面図である。なお、ＡＣ３とＡＣ４の本体は、これまでのものよりｇの分だけ長いものを作成し、図５０における基板の上端に２ｇを残し、下端にｇを残して貼り付けても、組み込むことができるが、出来上がりの図７２においてＡＣ１の本体と縦のＡＣの本体の間にｇの幅の溝ができて対称性が失われる。
【手続補正１２】
【補正対象書類名】明細書
【補正対象項目名】００８８
【補正方法】変更
【補正の内容】
【００８８】アタッチメントは、額縁として、重ね貼り合わせによって作成することができる。このときの額縁は、裏蓋方式、横入れ方式、正面入れ替え方式のいずれでも採用できるが、正面入れ替え方式のアタッチメントについては、縁板の厚さを上回る専用アクセサリーの高さがある場合は、この部分もアタッチメントの厚さに加える必要がある。アタッチメント内の収納スペースの厚さは、ｆで充分と考えられる。なお、正面入れ替え方式の額縁において、表蓋型やマット型の構造においては、単独使用されている中板ＢＯに続けて同じ中板を追加し、この厚さをもった最大基板の外形をもって、これに組み込む収納アタッチメントを作成し、使用することができる。
【手続補正１３】
【補正対象書類名】明細書
【補正対象項目名】００９５
【補正方法】変更
【補正の内容】
【００９５】マット型の額縁を埋め込んだときの平面図が、図８４で示され、立面からの断面図Ｙ１−Ｙ１が図８５であり、図８６は側面からの断面図Ｘ１−Ｘ１である。これらの図において斜線の部分が壁面等を表わし、ＥＬで示す点線の囲み枠の内側が壁掛けスペースを表わしている。図８４において、囲み枠ＥＬで示される部分は、埋め込み前のマット型の平面図、図７８と同じである。囲み枠ＥＬにおいては、図８５の断面は、図７８のＹ１−Ｙ１と同じ立面からの断面を表わしたものと同じであり、図８６の断面は、同様にＸ１−Ｘ１と同じ側面からの断面を表わしたものと同じく示されている。平面図においては、ラックスペースは、長方形ＳＰＳで表わされ、ＲＨＤを含む埋め込みの一定部分は、斜線部分と囲み枠が重なり枠状にしめされる部分である。埋め込む額縁の平面図における最大規格の収納スペースの横幅がそのまま、ＳＰＳの横幅ＬＷとなり、縦幅がＳＰＳの縦幅ＨＷとなる。立面の断面図においても埋め込みの一定部分は、容易に把握できる。埋め込まれた額縁の厚さＤＦから底板の厚さを差し引くとラックスペースの奥行きＤＲとなる。
【手続補正１４】
【補正対象書類名】明細書
【補正対象項目名】００９６
【補正方法】変更
【補正の内容】
【００９６】また、ＲＨＤとラックスペースの連結状況が示され、埋め込まれた底板も明示されている。最大規格の収納スペースの横幅がラックスペースの横幅である。側面の断面図においても埋め込みの一定部分の把握は容易である。マット型における面構造にある２種類のラックハンドの位置関係が明示されている。この縦幅が、ラックスペースの縦幅である。このように、埋め込みの一定部分は、壁掛けスペースを想定することにより、埋め込む額縁の平面図とその厚さから定式的に把握できる。各図におけるＢは、ラックの幅を表わすとともにその位置を示しており、特に平面図上、この位置と壁掛けスペースを表わす点線の囲み枠までの距離が、埋め込みの一定部分として把握される。この距離は、埋め込む額縁の平面図においては、外枠の幅である。以上のように、埋め込んだときの各断面図は、壁掛けスペースを想定する線引きにより、重ね貼り合わせの継ぎ目が表わされないことを除けば、埋め込み前の各断面図と同じに表わされる。
このことは、縁枠型、表蓋型についても同様である。このことから、正面入れ替え方式の額縁を壁掛けスペースにはめ込み、その奥行きを調節し、固定することが、額縁を壁面に埋め込む最も簡単な方法と言うことができる。このような埋め込みがなされる場合の正面入れ替え方式の額縁を「簡易型の埋め込みユニット」と呼んでおくこととする。
【手続補正１５】
【補正対象書類名】明細書
【補正対象項目名】０１０４
【補正方法】変更
【補正の内容】
【０１０４】縦の調整基板は点線で示されており、目標のＳＰＳを構成するには、この中から左右の１組を選択して組み込むことになる。通常は、縦の各番号は同じであり、横の番号も同じものを使用するが、異なる組み合わせによってＳＰＳを作ることもできる。図８９において、２枚の横の調整基板Ｕ−１、Ｄ−１は、常に最初に使用されるものであり、選択使用されることになる縦の調整基板のいくつかはあらかじめ作っておくと便利である。また、これらのＲＨＤに組み込む各調整基板の長さは、専用アクセサリーの長さと同じように決めることができる。基板Ｕ−１の長さは、当初のＳＰＳの横幅Ｘに２ｇを加えたものである。また、当初のＳＰＳの縦幅がＹにＢの２倍を加えたものなので、縦の調整基板Ｌ−３の長さは、この長さからＢの６倍を差し引き、これに２ｇを加えて算出できる。これらの縦と横の基板を相互にすべて図８７、８８のような組み込みができるように、加工する。
横の調整基板については、図のように、左端では、Ｂにｇを加えた長さにわたり加工し、右端でも同じ長さを加工する。縦の調整基板については、両端の長さ２ｇにわたる部分を加工する。（実際においては、後述のように横の調整基板Ｕ−１、Ｕ−２、Ｄ−１、Ｄ−２の４枚と縦の調整基板のうち左側のＬ−１と目標のＳＰＳの番号の基板と右側のＲ−１とＳＰＳを決める番号の基板を使用するにとどまる。）
この部分の厚さは、図で示されるように下側の調整基板のみ、Ｂからｇを差し引いたものであり、他の基板の厚さは、２ｇを差し引いたものとすることができる。右側の調整基板は、左側の基板を鏡に映したように対称に表わされる。このようなＲＨＤを作成した場合、縦と横の調整基板の組み合わせによって平面図上のＳＰＳを段階的に縮小することができる。図に示す各調整基板の位置のうち、番号１の横と縦の基板４枚１組を説明上、「調整枠１」、番号２のものを「調整枠２」と呼ぶことにする。
【手続補正１６】
【補正対象書類名】明細書
【補正対象項目名】０１０６
【補正方法】変更
【補正の内容】
【０１０６】このようにして、各調整基板と調整底板を作成することができる。この場合、複数のＲＨＤを左右の壁面に設けることができるが、縦の調整基板Ｌ−１にこのＲＨＤを設けて、必要に応じて、この調整枠１を組み込むようにすることができる。このようにした場合、左右の壁面に設けられた複数のＲＨＤは、縦の調整基板Ｌ−１、Ｒ−１の面に設けることになる。目標とするＳＰＳの縦幅を決める横の調整基板は、図８９において、Ｕ−２とＤ−２になるので、この二つの基板の面おいてＬ−２、Ｒ−２以降の縦の調整基板が組み込まれる複数のＲＨＤを作り、この組み込みによりＳＰＳの横幅が決まるように、複数のＲＨＤを作る面を変更することができる。したがって、このような複数のＲＨＤを設けるのは、縦の調整基板Ｌ−１とＲ−１および横の調整基板Ｕ−２とＤ−２になる。左右の壁面においては、想定した額縁の面構造にあるＲＨＤは、必ず設けておく必要があり、横の調整基板を組み込む横長ＲＨＤが少なくとも上下各１個ある。
【手続補正１７】
【補正対象書類名】明細書
【補正対象項目名】０１０８
【補正方法】変更
【補正の内容】
【０１０８】横の調整基板Ｕ−２の面を下方から見ると図９１のように表わされる。斜線部分がＲＨＤであり、Ｂの間隔の間に２ｇおきに配列されている。Ｕ２−Ｘは、当初のＳＰＳの横幅から、Ｂの２倍を差し引いて算出され、この基板の横幅Ｕ２−Ｌは、これに２ｇを加えて算出される。平面図上、縦幅となるＲＨＤの深さは２ｇである。下側の横の調整基板Ｄ−２のＲＨＤは、これを鏡に映したように同じであるが、縦の調整基板が組み込まれる深さが、スライド幅ｇである点において異なる。なお、図９１においては、各調整基板の両端の長さｇにわたる部分もＲＨＤとみなして表わしている。この部分を作成する際の加工の深さが、ＲＨＤの深さと同じであるからである。以上の調整枠１と調整基板のＵ−２とＤ−２および選択使用される縦の調整基板の２枚と調整底板をまとめて、説明上、「調整ユニット」と呼ぶことにする。ユニットは、必要なとき、各調整基板を組み込むことにより組み立てられ、段階的に縮小されたＳＰＳを作ることができる。また、棚としても使用できる。
【手続補正１８】
【補正対象書類名】明細書
【補正対象項目名】０１１８
【補正方法】変更
【補正の内容】
【０１１８】貼り合わせの額縁の作成に使用する材料は、厚みの少ない板であり、木材に限らず、軽量のアクリルやプラスチックなども使用できる。また、この作成においては、切り抜き部分が材料の大半を占めるので、材料を節約する方法が必要である。中板や縁板は、規則性をもたせて分割して、分割された各板を平面図上の位置を保つように貼り付けることにより、分割しないで重ね貼り合わせたものと同じ額縁を作ることができる。このことは、あらかじめ分割を想定し、元板の条件に適う別の板から合理的に切り取ることにより、分割された各板を作成できることを意味する。また、各板の元板を必要に応じ、追加使用することができるので、額縁の寸法を決定した後、これらの元板をあらかじめ、準備しておくことも有用である。また、額縁のデザインにおいては、形や材質を考慮することは当然であるが、貼り合わせの額縁においては、これらを各板ごとに別なものにすることができるので、デザインの幅が広がるとともに、額縁の強度や重さを考慮した厚さの小さい額縁を作ることができる。全部ラックと専用アクセサリーについてもそれぞれ材質を換えることができ、材料の選択において極めて柔軟性があると考えられる。鉄・アルミ・ステンレスガラスなどの他、合成樹脂・ゴムなどの軟質の素材も使用できると考えられる。
【手続補正１９】
【補正対象書類名】明細書
【補正対象項目名】０１２２
【補正方法】変更
【補正の内容】
【０１２２】平面図における元板の形が矩形でない場合として、正面から見た形が円形の横入れ方式の額縁を作ることにする。図２に示す底板と中板の元板を準備する。中板には、横の分割を適用し、寸法を定め準備する。底板と中板には、側面式のピンソケットを作成するための加工を行なっておく。縁板の元板を用意する前に、大きな白紙上で設計する必要がある。白紙に、図２の底板の平面図における形を実物大で写し取り、図１０１のように２本の対角線により、長方形の中心を定め、これを円の中心として、この中心から対角の点までの距離を半径として円を描く。各板を重ねて貼り合わせたときと同じように、この白紙上で、用紙収納スペースを描き、次に押さえ幅の大きさをとって画面窓を描く。そして、縦に分割された縁板を作るための基礎となる板の寸法を、長方形ａｂｃｄの各辺の長さとして図のように定める。この長方形を図１０１の斜線部分のように切り取り加工をする。このようにして上下の分割された縁板を作り、左右についても、同様に作成する。これを用紙収納板の上に順次、貼りつけて、貼り合わせの作業をすることになるが、あらかじめ、平面図上の画面窓の位置と寸法を、底板にとっておくことや分割された縁板に貼り合わせの基準点を取っておくことが、重要である。このようにして円形の形をした横入れ方式の額縁を作成することができる。外見が円形の額縁は、裏蓋方式においても同様にして作成できる。
【手続補正２０】
【補正対象書類名】図面
【補正対象項目名】図６９
【補正方法】変更
【補正の内容】
【図６９】
2007268281.tif 000001
【手続補正２１】
【補正対象書類名】図面
【補正対象項目名】図７０
【補正方法】変更
【補正の内容】
【図７０】
2007268281.tif 000002
【手続補正２２】
【補正対象書類名】図面
【補正対象項目名】図９０
【補正方法】変更
【補正の内容】
【図９０】
2007268281.tif 000003
【手続補正２３】
【補正対象書類名】図面
【補正対象項目名】図９３
【補正方法】変更
【補正の内容】
【図９３】
2007268281.tif 000004